(57)【要約】【課題】カードの利用状況をカード所有者若しくはカード所有者以外の人が知る必要が有る場合であっても、カードの利用状況を示せなかった。施設管理者等が、施設利用者のカード利用状況を把握することができる。【解決手段】合計支払い金額データと個人識別データとを格納することができるポストペイドカード及びプリペイドカードに対して支払い金額を更新する課金システムであって、管理用リーダ／ライタ装置と、第２のリーダ／ライタと課金手段と更新する際に少なくとも個人識別データと支払い金額を示す支払い金額データとを含む精算データを格納する第２の格納装置と格納された精算データを出力する出力インターフェースとを備える加算減算用リーダ／ライタ装置と、出力インターフェースを介して出力された精算データを入力する入力インターフェースと第３の格納装置と表示装置とを備える管理コンピュータと、を備えることを特徴とする課金システム。【選択図】図１
2012221017.tif 000002
【特許請求の範囲】
【請求項１】
合計支払い金額データと個人識別データとを格納することができるポストペイドカードに対して支払い金額を更新する課金システムであって、
個人識別データが記録された個人識別証と、
前記個人識別証の前記個人識別データを読み取り、前記ポストペイドカードに前記個人識別データを書き込む第１のリーダ／ライタと、前記個人識別データを格納する第１の格納装置とを備える管理用リーダ／ライタ装置と、
前記ポストペイドカードから前記個人識別データ及び前記合計支払い金額データを読み取り、前記合計支払い金額データを前記ポストペイドカードに書き込む第２のリーダ／ライタと、前記合計支払い金額データに支払い金額を加算して、前記合計支払い金額データを更新し、更新された前記合計支払い金額データを前記第２のリーダ／ライタによって前記ポストペイドカードに書き込ませる課金手段と、前記合計支払い金額データを更新するときに、少なくとも前記個人識別データと前記支払い金額を示す支払い金額データとを含む精算データを格納する第２の格納装置と、前記精算データを出力する出力インターフェースとを備える加算減算用リーダ／ライタ装置と、
前記出力インターフェースを介して出力された前記精算データを入力する入力インターフェースと、前記精算データを格納する第３の格納装置と、前記精算データとを表示する表示装置とを備える管理コンピュータと、
を備えることを特徴とする課金システム。
【請求項２】
前記加算減算用リーダ／ライタ装置を複数備え、
前記管理コンピュータは、前記表示装置によって、複数の前記加算減算用リーダ／ライタ装置から出力されて、前記管理コンピュータに入力された精算データを、前記個人識別データごとに印刷することによって表示することを特徴とする請求項１に記載の課金システム。
【請求項３】
前記加算減算用リーダ／ライタ装置は、加算を行った時間を示すための時計を備え、
前記精算データは、加算を行った時間を示す時間データを含む、
ことを特徴とする請求項１又は２に記載の課金システム。
【請求項４】
前記精算データは、前記支払い金額の発生の契機となる商品又はサービスの名前を示す名前データを含むことを特徴とする請求項１から３のいずれかの１項に記載の課金システム。
【請求項５】
前記加算減算用リーダ／ライタ装置は、前記第２の格納装置に格納されてから一定の時間が経過した精算データを削除することを特徴とする請求項１から４のいずれかの１項に記載の課金システム。
【請求項６】
前記第２のリーダ／ライタは、前記個人識別証から前記個人識別データを読み取り、前記第２の格納装置は、前記個人識別データを格納し、
前記課金手段は、前記第２の格納装置に記録されている前記個人識別データと前記個人識別データを照合して、一致したときのみ、前記合計支払い金額データに支払い金額を加算して、前記合計支払い金額データを更新する、
ことを特徴とする請求項１から５のいずれかの１項に記載の課金システム。
【請求項７】
前記課金手段は、前記個人識別データごとに、前記第２の格納装置に格納された前記支払い金額データを合計した金額を示す合計データを計算し、
前記第２の格納装置は、前記個人識別データごとに前記合計データを格納し、
前記第２の格納装置は、前記個人識別データごとに限度金額データを格納し、
前記課金手段は、同一の前記個人識別データにおいて、前記支払い金額と前記合計データが示す金額との和が、前記限度金額データを超える場合には、前記合計支払い金額データに支払い金額を更新しないことを特徴とする請求項１から６のいずれかの１項に記載の課金システム。
【請求項８】
前記課金手段は、前記個人識別データごとに、前記第２の格納装置に格納された前記支払い金額データを合算した金額を示す合計データを計算し、
前記第２の格納手段は、前記個人識別データごとに前記合計データを格納し、
前記出力インターフェースは、前記合計データを前記管理コンピュータに出力し、
前記出力インターフェースが前記合計データを前記管理コンピュータに出力した後に、前記課金手段が前記ポストペイドカードの前記合計支払い金額データを更新する場合には、前記課金手段は、出力された前記合計データの示す金額を前記ポストペイドカードに記録された前記合計支払い金額データから減算して、前記合計支払い金額データを更新することを特徴とする請求項１から７のいずれかの１項に記載の課金システム。
【請求項９】
前記出力インターフェースは、ＵＳＢポートであり、
前記入力インターフェースは、ＵＳＢポートである請求項１から８のいずれかの１項に記載の課金システム。
【請求項１０】
前記管理用リーダ／ライタ装置は、前記ポストペイドカードに格納された前記合計支払い金額データを表示する請求項１から９のいずれかの１項に記載の課金システム。
【請求項１１】
前記管理コンピュータは、予め格納された前記精算データと、入力された前記精算データが同一の場合には、どちらかの前記精算データを削除することを特徴とする請求項１から１０のいずれかの１項に記載の課金システム。
【請求項１２】
残金データと個人識別データとを格納することができるプリペイドカードに対して残金を更新する課金システムであって、
個人識別データが記録された個人識別証と、
前記個人識別証の前記個人識別データを読み取り、前記プリペイドカードに前記個人識別データを書き込む第１のリーダ／ライタと、前記個人識別データを格納する第１の格納装置とを備える管理用リーダ／ライタ装置と、
前記プリペイドカードから前記個人識別データ及び前記残金データ読み取り、前記残金データを前記プリペイドカードに書き込む第２のリーダ／ライタと、前記残金データから支払い金額を減算して、前記残金データを更新し、更新された前記残金データを前記第２のリーダ／ライタによって前記プリペイドカードに書き込ませる課金手段と、前記残金データを更新するときに、少なくとも前記個人識別データと前記支払い金額を示す支払い金額データとを含む精算データを格納する第２の格納装置と、前記精算データを出力する出力インターフェースとを備える加算減算用リーダ／ライタ装置と、
前記出力インターフェースを介して出力された前記精算データを入力する入力インターフェースと、前記精算データを格納する第３の格納装置と、前記精算データとを表示する表示装置とを備える管理コンピュータと、
を備えることを特徴とする課金システム。
【請求項１３】
前記加算減算用リーダ／ライタ装置を複数備え、
前記管理コンピュータは、前記表示装置によって、複数の前記加算減算用リーダ／ライタ装置から出力されて、前記管理コンピュータに入力された精算データを、前記個人識別データごとに印刷することによって表示することを特徴とする請求項１２に記載の課金システム。
【請求項１４】
前記加算減算用リーダ／ライタ装置は、減算を行った時間を示すための時計を備え、
前記精算データは、減算を行った時間を示す時間データを含む、
ことを特徴とする請求項１２又は１３に記載の課金システム。
【請求項１５】
前記精算データは、前記支払い金額の発生の契機となる商品又はサービスの名前を示す名前データを含むことを特徴とする請求項１２から１４のいずれかの１項に記載の課金システム。
【請求項１６】
前記加算減算用リーダ／ライタ装置は、前記第２の格納装置に格納されてから一定の時間が経過した前記精算データを削除することを特徴とする請求項１２から１５のいずれかの１項に記載の課金システム。
【請求項１７】
前記第２のリーダ／ライタは、前記個人識別証の前記個人識別データを読み取り、前記第２の格納装置は、前記個人識別データを格納し、
前記課金手段は、前記個人識別データを前記第２の格納装置に記録されている前記個人識別データと照合して、一致したときのみ、前記残金データから支払い金額を減算して、前記残金データを更新する、
ことを特徴とする請求項１２から１６のいずれかの１項に記載の課金システム。
【請求項１８】
前記課金手段は、前記個人識別データごとに、前記第２の格納装置に格納された前記支払い金額データを合計した金額を示す合計データを計算し、
前記第２の格納装置は、前記個人識別データごとに前記合計データを格納し、
前記第２の格納装置は、前記個人識別データごとに限度金額データを格納し、
前記課金手段は、同一の前記個人識別データにおいて、支払い金額と前記合計データが示す金額との和が、前記限度金額データを超える場合には、前記残金データに支払い金額を更新しないことを特徴とする請求項１２から１７のいずれかの１項に記載の課金システム。
【請求項１９】
前記プリペイドカードの前記残金データに入金額を加算する入金機と、
前記プリペイドカードの前記残金データが示す金額を払い戻す精算機と、
を更に備えることを特徴とする請求項１２から１８のいずれかの１項に記載の課金システム。
【請求項２０】
前記出力インターフェースは、ＵＳＢポートであり、
前記入力インターフェースは、ＵＳＢポートである請求項１２から１９のいずれかの１項に記載の課金システム。
【請求項２１】
前記管理用リーダ／ライタ装置は、前記プリペイドカードに格納された前記残金データを表示する請求項１２から２０のいずれかの１項に記載の課金システム。
【請求項２２】
前記管理コンピュータは、予め格納された前記精算データと、入力された前記精算データが同一の場合には、どちらかの前記精算データを削除することを特徴とする請求項１２から２１のいずれかの１項に記載の課金システム。
【発明の詳細な説明】
【技術分野】
【０００１】
本発明は、ポストペイドカード若しくはプリペイドカードに課金を行うシステムに関する。
【背景技術】
【０００２】
病院やホテルなどの宿泊施設において、ポストペイドカード若しくはプリペイドカードシステムを導入することにより、管理業務を効率的にすることが可能である。施設内の設備を、施設利用者若しくは職員が利用する際に、ポストペイドカード若しくはプリペイドカードを用いて電子的に支払い金額を積算することによって、施設内をキャッシュレスにすることができる。
【０００３】
特許文献１には、中央管理サーバを利用しないで、病院内で、患者がポストペイドカードを使用することを可能にする発明が記載されている。また、特許文献２には、プリペイドカードを用いて、テレビを使用する際に、番組の利用状況に応じて、施設管理者が番組提供者に支払う料金を管理することを可能にする発明が記載されている。
【先行技術文献】
【特許文献】
【０００４】
【特許文献１】特開平０９−２５９３３５号公報
【特許文献２】特開２００６−２９０７号公報
【発明の概要】
【発明が解決しようとする課題】
【０００５】
従来のシステムでは、病院などの施設において、利用者が、プリペイドカード若しくはポストペイドカードを利用しても、カードの利用状況は、記録されなかった。そのため、カードの利用状況をカード所有者若しくはカード所有者以外の人が知る必要が有る場合であっても、カードの利用状況を示すことができなかった。
【課題を解決するための手段】
【０００６】
上記の課題を解決するために、本発明は、合計支払い金額データと個人識別データとを格納することができるポストペイドカードに対して支払い金額を更新する課金システムであって、個人識別データが記録された個人識別証と、個人識別証の個人識別データを読み取り、ポストペイドカードに個人識別データを書き込む第１のリーダ／ライタと、個人識別データを格納する第１の格納装置とを備える管理用リーダ／ライタ装置と、ポストペイドカードから個人識別データ及び合計支払い金額データを読み取り、合計支払い金額データをポストペイドカードに書き込む第２のリーダ／ライタと、合計支払い金額データに支払い金額を加算して、合計支払い金額データを更新し、更新された合計支払い金額データを第２のリーダ／ライタによってポストペイドカードに書き込ませる課金手段と、合計支払い金額データを更新するときに少なくとも個人識別データと支払い金額を示す支払い金額データとを含む精算データを格納する第２の格納装置と、精算データを出力する出力インターフェースとを備える加算減算用リーダ／ライタ装置と、出力インターフェースを介して出力された精算データを入力する入力インターフェースと、精算データを格納する第３の格納装置と、精算データとを表示する表示装置とを備える管理コンピュータとを備えることを特徴とする課金システムを提供する。
【０００７】
また、本発明は、加算減算用リーダ／ライタ装置を複数備え、管理コンピュータは、表示装置によって、複数の加算減算用リーダ／ライタ装置から出力されて、管理コンピュータに入力された精算データを、個人識別データごとに印刷することによって表示することを特徴とする上記の課金システムを提供する。
【０００８】
また、本発明は、加算減算用リーダ／ライタ装置が、加算を行った時間を示すための時計を備え、精算データが、加算を行った時間を示す時間データを含む、ことを特徴とする上記の課金システムを提供する。
【０００９】
また、本発明は、精算データが、支払い金額の発生の契機となる商品又はサービスの名前を示す名前データを含むことを特徴とする上記の課金システムを提供する。
【００１０】
また、本発明は、加算減算用リーダ／ライタ装置が、第２の格納装置に格納されてから一定の時間が経過した精算データを削除することを特徴とする上記の課金システムを提供する。
【００１１】
また、本発明は、第２のリーダ／ライタが、個人識別証から個人識別データを読み取り、第２の格納装置は、個人識別データを格納し、課金手段は、第２の格納装置に記録されている個人識別データと個人識別データを照合して、一致したときのみ、合計支払い金額データに支払い金額を加算して、合計支払い金額データを更新することを特徴とする上記の課金システムを提供する。
【００１２】
また、本発明は、課金手段が、個人識別データごとに、第２の格納装置に格納された支払い金額データを合計した金額を示す合計データを計算し、第２の格納装置は、個人識別データごとに合計データを格納し、第２の格納装置は、個人識別データごとに限度金額データを格納し、課金手段は、同一の個人識別データにおいて、支払い金額と合計データが示す金額との和が、限度金額データを超える場合には、合計支払い金額データに支払い金額を更新しないことを特徴とする上記の課金システムを提供する。
【００１３】
また、本発明は、課金手段が、個人識別データごとに、第２の格納装置に格納された支払い金額データを合算した金額を示す合計データを計算し、第２の格納手段は、個人識別データごとに合計データを格納し、出力インターフェースは、合計データを管理コンピュータに出力し、出力インターフェースが合計データを管理コンピュータに出力した後に、課金手段がポストペイドカードの合計支払い金額データを更新する場合には、課金手段は、出力された合計データの示す金額をポストペイドカードに記録された合計支払い金額データから減算して、合計支払い金額データを更新することを特徴とする上記の課金システムを提供する。
【００１４】
また、本発明は、出力インターフェースが、ＵＳＢポートであり、入力インターフェースが、ＵＳＢポートである上記の課金システムを提供する。
【００１５】
また、本発明は、管理用リーダ／ライタ装置が、ポストペイドカードに格納された合計支払い金額データを表示する上記の課金システムを提供する。
【００１６】
また、本発明は、管理コンピュータは、予め格納された精算データと、入力された精算データが同一の場合には、どちらかの精算データを削除することを特徴とする上記の課金システムを提供する。
【００１７】
また、本発明は、残金データと個人識別データとを格納することができるプリペイドカードに対して残金を更新する課金システムであって、個人識別データが記録された個人識別証と、個人識別証の個人識別データを読み取り、プリペイドカードに個人識別データを書き込む第１のリーダ／ライタと、個人識別データを格納する第１の格納装置とを備える管理用リーダ／ライタ装置と、プリペイドカードから個人識別データ及び残金データ読み取り、残金データをプリペイドカードに書き込む第２のリーダ／ライタと、残金データから支払い金額を減算して、残金データを更新し、更新された残金データを第２のリーダ／ライタによってプリペイドカードに書き込ませる課金手段と、残金データを更新するときに少なくとも個人識別データと支払い金額を示す支払い金額データとを含む精算データを格納する第２の格納装置と、精算データを出力する出力インターフェースとを備える加算減算用リーダ／ライタ装置と、出力インターフェースを介して出力された精算データを入力する入力インターフェースと、精算データを格納する第３の格納装置と、精算データとを表示する表示装置とを備える管理コンピュータと、を備えることを特徴とする課金システムを提供する。
【００１８】
また、本発明は、加算減算用リーダ／ライタ装置を複数備え、管理コンピュータは、表示装置によって、複数の加算減算用リーダ／ライタ装置から出力されて、管理コンピュータに入力された精算データを、個人識別データごとに印刷することによって表示することを特徴とする上記の課金システムを提供する。
【００１９】
また、本発明は、加算減算用リーダ／ライタ装置が、減算を行った時間を示すための時計を備え、精算データは、減算を行った時間を示す時間データを含むことを特徴とする上記の課金システムを提供する。
【００２０】
また、本発明は、精算データが、支払い金額の発生の契機となる商品又はサービスの名前を示す名前データを含むことを特徴とする上記の課金システムを提供する。
【００２１】
また、本発明は、加算減算用リーダ／ライタ装置が、第２の格納装置に格納されてから一定の時間が経過した精算データを削除することを特徴とする上記の課金システムを提供する。
【００２２】
また、本発明は、第２のリーダ／ライタが、個人識別証の個人識別データを読み取り、第２の格納装置は、個人識別データを格納し、課金手段は、個人識別データを第２の格納装置に記録されている個人識別データと照合して、一致したときのみ、残金データから支払い金額を減算して、残金データを更新することを特徴とする上記の課金システムを提供する。
【００２３】
また、本発明は、課金手段が、個人識別データごとに、第２の格納装置に格納された支払い金額データを合計した金額を示す合計データを計算し、第２の格納装置は、個人識別データごとに合計データを格納し、第２の格納装置は、個人識別データごとに限度金額データを格納し、課金手段は、同一の個人識別データにおいて、支払い金額と合計データが示す金額との和が、限度金額データを超える場合には、残金データに支払い金額を更新しないことを特徴とする上記の課金システムを提供する。
【００２４】
また、本発明は、プリペイドカードの残金データに入金額を加算する入金機と、プリペイドカードの残金データが示す金額を払い戻す精算機とを更に備えることを特徴とする上記の課金システムを提供する。
【００２５】
また、本発明は、出力インターフェースが、ＵＳＢポートであり、入力インターフェースが、ＵＳＢポートである上記の課金システムを提供する。
【００２６】
また、本発明は、管理用リーダ／ライタ装置が、プリペイドカードに格納された残金データを表示する上記の課金システムを提供する。
【００２７】
また、本発明は、管理コンピュータは、予め格納された精算データと、入力された精算データが同一の場合には、どちらかの精算データを削除することを特徴とする上記の課金システムを提供する。
【発明の効果】
【００２８】
本発明により、施設管理者等が、施設利用者のカード利用状況を把握することが可能となる。
【００２９】
例えば、病院において、カードを患者や職員に貸与する事によって、院内のランドリーや商業施設をキャッシュレスで使用することが可能になる一方で、患者の親族や行政庁などがカードの利用状況を知りたい場合に、カードの利用状況を知ることが可能となる。特に精神科病棟では、患者の代理として、病院職員が、商品の購入若しくはサービスの利用を行うことが多く、そのような場合には、行政庁に代理状況を報告する必要がある場合がある。
【図面の簡単な説明】
【００３０】
【図１】本発明の実施形態である、課金システム１０の概略図を示す。
【図２】本発明実施形態に関するポストペイドカード１２の概略図を示す。
【図３】本発明実施形態に関する加算減算用リーダ／ライタ１８の概略図を示す。
【図４】本発明の実施形態である、精算データの表示画面を示す概略図である。
【発明を実施するための形態】
【００３１】
以下に図面を参照して、本発明の実施の一形態について説明する。図１は、本発明の病院に設置した一実施形態に係る課金システム１０を示した概略図である。
【００３２】
課金システム１０は、カード１２（以下、特に指示が無い場合には、ポストペイドカード及びプリペイドカードの両方を示す。）と、個人識別証１４と、管理用リーダ／ライタ１６と、加算減算用リーダ／ライタ１８と、管理コンピュータ２０によって構成される。加算減算用リーダ／ライタ１８は、テレビ２１、電話２２、冷蔵庫２４に接続することができ、カード１２に対して課金することによって、これらの機器を利用することができる。加算減算用リーダ／ライタ１８は、洗濯機２８、乾燥機３０、自販機３２、インターネット接続機器（ＰＣ）３４、食堂／喫茶店の券売機３６若しくは売店のレジ３８、駐車場の集金機４０に取り付けられており、利用者は、カード１２に格納されデータを各機器に取り付けられている加算減算用リーダ／ライタ１８に読み取らせて、加算減算用リーダ／ライタ１８がカード１２に課金することによって、利用者が、これらの設備を利用できるようにしてもよい。さらに、定期的に病院を訪れる理容師若しくは美容師が、持ち運び可能な加算減算用リーダ／ライタ若しくは予め設置された加算減算用リーダ／ライタ（図示せず）を用いて、カード１２に課金を行ってもよい。
【００３３】
加算減算用リーダ／ライタ１８とテレビなどの機器との通信は、有線で行ってもよいし、無線で通信してもよいし、一体となっていてもよい。また、管理用リーダ／ライタ１６と加算減算用リーダ／ライタ１８が一体になっていてもよい。
【００３４】
課金システム１０では、個人識別証１４として、入院患者の取り違いを防ぐために患者が手首（又は足首）などに装着するようにされているリストバンドを利用してもよい。このリストバンドには、患者の氏名その他の情報が文字で記載されている他、例えば、管理用リーダ／ライタ１６によって、患者を識別する情報を示す個人識別データを読み取ることができるように、例えば、バーコードが印刷されている。
【００３５】
図２は、本例に係るカード１２の概略図を示す。カード１２には、各種情報を記憶するメモリ５０、及び、データの入出力を行うインターフェース５２が設けられている。メモリ５０は、少なくとも患者などの利用者を特定する個人識別データを格納する。また、カード１２がポストペイドカードの場合には、メモリ５０は、利用者が施設に支払うべき金額を示す合計支払い金額データを格納する。一方で、カード１２がプリペイドカードの場合には、メモリ５０は、カードの残金を示す残金データを格納する。
【００３６】
カード１２は、ＩＣカードとしてもよいし、磁気カードでもよい。また、ＩＣカードの場合は、接触式でも非接触式でもよい。例えば、ＲＦＩＤでカード１２と加算減算用リーダ／ライタ１８が通信してもよい。また、カード１２は、診察券に関する情報をメモリ５０に格納し、ＩＣ化された診察券として使用することができるようにしてもよい。さらに、診察券に関する情報に加えて、処方箋に関する情報をメモリ５０に格納して、処方箋としてカード１２を使用してもよい。また、管理用リーダライタに格納された個人識別データ及び処方箋に関する情報を、薬局（特に、院外薬局）にインターネットを通じて送信することも可能である。
【００３７】
課金システム１０の利用を開始するときには、利用者は、個人識別証１４に記録された利用者を識別する個人識別データを管理用リーダ／ライタ１６に読み取らせる。この読み取りは、バーコードによって利用者を識別する情報が記載されている場合には、バーコードリーダを用いるが、ＩＣチップなど他の方法で個人識別データが個人識別証１４に記載されている場合には、データの記載方式に適した方法で読み取られる。管理用リーダ／ライタ１６に読み取られた個人識別データは、管理用リーダ／ライタ１６の内部にある格納装置に格納される。次に、管理用リーダ／ライタ１６は、利用者のカード１２に個人識別データを書き込む。書き込みは、カード１２の入出力インターフェース５２に適した方法で行われ、例えば、電磁誘導や電磁波によって行われる。なお、管理用リーダ／ライタ１６は、個人識別証１４との通信及びカード１２との通信を同一のリーダ／ライタによって行ってもよいし、それぞれに対して専用のリーダ／ライタを用いて行ってもよい。
【００３８】
図３に加算減算用リーダ／ライタ１８の一実施形態を示す。加算減算用リーダ／ライタ１８は、カード挿入口内部６０内部に付けられたリーダ／ライタ（図示せず）を備え、リーダ／ライタを介して、カード１２に対して課金を行う。また、加算減算用リーダ／ライタ１８は、さらに、プロセッサなどを用いて実装される課金手段（図示せず）と、ハードディスクドライブなどの格納装置（図示せず）と、格納装置に格納されたデータを出力する出力インターフェース６２とを有する。
【００３９】
利用者は、商品又はサービスを購入する場合には、カード１２をカード挿入口６０に挿入し、商品又はサービスの代金に相当する支払い金額を決済する。ポストペイドカードを利用して、決済する場合には、加算減算用リーダ／ライタのリーダ／ライタは、少なくとも個人識別データ及び合計支払い金額データを読み取る。課金手段は、合計支払い金額データに対して、支払い金額を加算して、合計支払い金額データを更新し、上記リーダ／ライタに、更新された合計支払い金額データをポストペイドカードに書き込ませる。このとき、格納装置は、少なくとも個人識別データ及び支払い金額を含む精算データを格納する。すなわち、課金手段は、格納装置に、精算データを格納させる。加算減算用リーダ／ライタに、購入した商品若しくはサービスの名前が入力されることによって、精算データは、購入した商品若しくはサービスの名前を示す名前データを含んでもよい。例えば、売店のレジと接続している加算減算用リーダ／ライタは、レジにおいて、商品から読み取ったバーコードによって特定された商品名を示す名前データをレジから受信してもよい。また、自動販売機によって、商品が購入された場合には、加算減算用リーダ／ライタは、商品が、飲み物と決まっているため、自動販売機から商品の金額を示す表示金額データのみを受け取ってもよく、さらに、管理者が、キーボード等の入力装置によって、商品名若しくはサービス名を加算減算用リーダ／ライタに入力してもよい。また、加算減算用リーダ／ライタ１８は、時計をさらに備え、決済（カードへの課金）を行った日時分といった時間を示す時間データを精算データに含めて、格納装置に格納してもよい。商品若しくはサービスの名前及び決済を行った時間を精算データに含めることによって、精算データの表示を見て、利用者が、いつ何にいくらの金額を使ったかを知ることができる。
【００４０】
同様に、プリペイドカードを利用して、決済する場合には、加算減算用リーダ／ライタのリーダ／ライタは、少なくとも個人識別データ及び残金データを読み取る。課金手段は、残金データに対して、支払い金額を減算して、残金データを更新し、上記リーダ／ライタに、更新された残金データをプリペイドカードに書き込ませる。このとき、格納手段は、個人識別データ及び支払い金額を含む精算データを格納する。ポストペイドカードを用いた場合と同様に、精算データは、購入した商品名若しくはサービス名を含んでもよく、加算減算用リーダ／ライタ１８は、時計をさらに備え、決済を行った日時分を示す時間データを精算データに含めて、格納装置に格納してもよい。
【００４１】
加算減算用リーダ／ライタ１８の出力インターフェース６２は、管理コンピュータ２０に、精算データを出力するために用いられる。管理コンピュータ２０は、例えば、コンピュータによって実施される。図３に示される加算減算用リーダ／ライタ１８の実施形態においては、ＵＳＢポートによって出力インターフェース６２を実施している。管理者は、ＵＳＢポートにＵＳＢメモリを挿入し、加算減算用リーダ／ライタ１８からＵＳＢメモリに精算データを移す。そして、管理者は、管理コンピュータ２０に備えられた、例えば、ＵＳＢポートによって実施される入力インターフェースに、ＵＳＢメモリを挿入して、精算データを管理コンピュータ２０に移す。このとき、すでに管理コンピュータ２０に移された精算データと同一の精算データが管理コンピュータ２０に移された場合には、該同一の精算データを削除して、管理コンピュータ２０が同一の精算データを複数持たないようにすることもできる。例えば、された予め格納されている精算データと、新しく移動された精算データの個人識別情報及び時間データを照合して、精算データが同一か否かを判断し、同一の精算データについては、どちらかの精算データを削除してもよい。本実施形態では、加算減算用リーダ／ライタ１８の出力インターフェース６２及び管理コンピュータ２０の入力インターフェースは、ＵＳＢポートによって実装されているが、出力インターフェース６２及び入力インターフェースとして、有線ＬＡＮポート若しくは無線ＬＡＮポートを用いて、有線ＬＡＮ若しくは無線ＬＡＮを介して、精算データを加算減算用リーダ／ライタ１８から管理コンピュータ２０に移してもよい。また、その他の適切な通信手段によって、（すなわち、該通信手段を実現する出力インターフェース６２及び入力インターフェースを利用して、）精算データを加算減算用リーダ／ライタ１８から管理コンピュータ２０に移してもよい。
【００４２】
管理コンピュータ２０は、精算データを表示する。例えば、精算データをモニタによって、表示してもよいし、プリンタによる印刷によって、精算データを表示してもよい。精算データの表示の際には、例えば、図４に示すように、個人識別情報ごとに、表示してもよい。また、図４では、精算データを個々の決済ごとに表示しているが、例えば、食品として、菓子及びパンなどをまとめてしまい、金額をそれぞれの和にすることもできる。加算減算用リーダ／ライタ１８は、図１に示すように、複数であってもよく、複数の加算減算用リーダ／ライタ１８で決済した場合に、管理コンピュータ２０に精算データまとめて表示することができる。
【００４３】
別の実施形態においては、加算減算用リーダ／ライタ１８は、精算データを格納装置に格納してから、例えば６ヶ月といった一定の期間を経過すると、自動的に精算データを削除するようにしてもよい。加算減算用リーダ／ライタ１８における精算データの量を抑制することができるため、加算減算用リーダ／ライタ１８における格納装置の容量を少なくすることができ、加算減算用リーダ／ライタ１８の生産費用を小さくすることができる。一方で、管理コンピュータ２０において、精算データを半永久的に保存することができる。
【００４４】
別の実施形態においては、加算減算用リーダ／ライタ１８は、利用開始時において、個人識別証１４から個人識別データを読み取り、加算減算用リーダ／ライタ１８の格納装置に格納することができる。個人識別データの読み取りは、カード１２と同一のリーダ／ライタから読み取ってもよいし、別のリーダ／ライタを用いてもよい。例えば、個人識別データの読み取りをバーコードリーダによって行い、カード１２からのデータの読み取りを、ＲＦＩＤの利用によって行ってもよい。この実施形態の場合には、加算減算用リーダ／ライタ１８によって課金をするときには、カード１２から読み取った個人識別データと、加算減算用リーダ／ライタ１８内に記録された個人識別データを照合して、一致した場合にのみ、加算減算用リーダ／ライタ１８が、支払い金額に基づいてカード１２の合計支払い金額データ若しくは残金データを更新（ポストペイドカードの場合には加算、プリペイドカードの場合には減算）するようにしてもよい。例えば、患者が使用する加算減算用リーダ／ライタ１８のみに、（特に、図１における病室内の加算減算用リーダ／ライタ１８のみに、）個人識別データを格納しておく場合には、カード１２が盗難にあっても、個人識別データを照合することによって、カード１２の不正使用を防ぐことができる。また、カード１２の紛失後、加算減算用リーダ／ライタ１８に格納された個人識別データを消去することによって、カード１２の不正使用を防ぐことが可能となる。
【００４５】
別の実施形態においては、加算減算用リーダ／ライタ１８の格納装置は、個人識別データごとに、カードの使用金額の上限を示す限度金額データを格納することができる。また、加算減算用リーダ／ライタ１８の課金手段は、個人識別データごとに、支払い金額の合計した合計データを計算し、格納装置に格納する。課金の際には、カード１２から読み取った個人識別データが示す合計データに、新たな決済による支払い金額を足した金額が、同一の個人識別データが示す限度金額を超える場合には、課金手段が、課金を行わないようにすることができる。加算減算用リーダ／ライタは、さらに液晶ディスプレイなどの表示装置を備え、課金を行わないようにする場合には、該表示装置によって、限度金額を超えてカードを利用していることを利用者に示すようにしてもよい。本実施形態によって、患者等が、過度に商品又はサービスを購入することを防ぐことができる。なお、限度金額は、月ごとに使用できる金額であってもよいし、週ごと、若しくは、退院予定日までなどの他の期間ごとに使用できる金額であってもよい。
【００４６】
別の実施形態においては、加算減算用リーダ／ライタ１８の課金手段は、個人識別データごとに、支払い金額の合計した合計データを計算し、格納装置に格納する。そして、出力インターフェースによって、精算データを出力した後に、ポストペイドカードの合計支払い金額データが、加算減算用リーダ／ライタ１８の課金手段によって、更新される場合には、合計支払い金額データの示す金額から合計データの示す金額を減算して、合計支払い金額データを更新する。管理者が、管理コンピュータ２０に精算データを移動し、利用者に対して、支払いを要求する一方で、ポストペイドカードに格納される合計支払い金額データから、要求した金額を減算することができる。
【００４７】
別の実施形態においては、管理用リーダ／ライタ装置２０は、液晶ディスプレイなどの金額表示機を備え、カード１２から個人識別データ及び合計支払い金額若しくは残存金額を読み取って、表示できるようにしてもよい。
【００４８】
別の実施形態においては、プリペイドカードの残金データに入金額を加算する入金機と、プリペイドカードの残金データが示す残金を払い戻す精算機を備えてもよい。
【００４９】
実施形態に応じて、本発明の課金システムは、ポストペイドカード若しくはプリペイドカードのどちらかのみを利用してもよいし、一つの課金システムにおいて、ポストペイドカード及びプリペイドカードを同時に利用できるようにしてもよい。
【符号の説明】
【００５０】
１０  課金システム
１２  カード（ポストペイドカード若しくはプリペイドカード）
１４  個人識別証
１８  加算減算用リーダ／ライタ
２０  管理用リーダ／ライタ
６０  カード挿入口
６２  出力インターフェース
【図１】
2012221017.tif 000003
【図２】
2012221017.tif 000004
【図３】
2012221017.tif 000005
【図４】
2012221017.tif 000006
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
合計支払い金額データと個人識別データとを格納することができるポストペイドカードに対して支払い金額を更新する課金システムであって、
個人識別データが記録された個人識別証と、
前記個人識別証の前記個人識別データを読み取り、前記ポストペイドカードに前記個人識別データを書き込む第１のリーダ／ライタと、前記個人識別データを格納する第１の格納装置とを備える管理用リーダ／ライタ装置と、
前記ポストペイドカードから前記個人識別データ及び前記合計支払い金額データを読み取り、前記合計支払い金額データを前記ポストペイドカードに書き込む第２のリーダ／ライタと、前記合計支払い金額データに支払い金額を加算して、前記合計支払い金額データを更新し、更新された前記合計支払い金額データを前記第２のリーダ／ライタによって前記ポストペイドカードに書き込ませる課金手段と、前記合計支払い金額データを更新するときに、少なくとも前記個人識別データと前記支払い金額を示す支払い金額データとを含む精算データを格納する第２の格納装置と、前記精算データを出力する出力インターフェースとを備える加算減算用リーダ／ライタ装置と、
前記出力インターフェースを介して出力された前記精算データを入力する入力インターフェースと、前記精算データを格納する第３の格納装置と、前記精算データとを表示する表示装置とを備える管理コンピュータと、
を備え、
前記課金手段は、前記個人識別データごとに、前記第２の格納装置に格納された前記支払い金額データを合算した金額を示す合計データを計算し、
前記第２の格納手段は、前記個人識別データごとに前記合計データを格納し、
前記出力インターフェースは、前記合計データを前記管理コンピュータに出力し、
前記出力インターフェースが前記合計データを前記管理コンピュータに出力した後に、前記課金手段が前記ポストペイドカードの前記合計支払い金額データを更新する場合には、前記課金手段は、出力された前記合計データの示す金額を前記ポストペイドカードに記録された前記合計支払い金額データから減算して、前記合計支払い金額データを更新することを特徴とする課金システム。
【請求項２】
前記加算減算用リーダ／ライタ装置を複数備え、
前記管理コンピュータは、前記表示装置によって、複数の前記加算減算用リーダ／ライタ装置から出力されて、前記管理コンピュータに入力された精算データを、前記個人識別データごとに印刷することによって表示することを特徴とする請求項１に記載の課金システム。
【請求項３】
前記加算減算用リーダ／ライタ装置は、加算を行った時間を示すための時計を備え、
前記精算データは、加算を行った時間を示す時間データを含む、
ことを特徴とする請求項１又は２に記載の課金システム。
【請求項４】
前記精算データは、前記支払い金額の発生の契機となる商品又はサービスの名前を示す名前データを含むことを特徴とする請求項１から３のいずれかの１項に記載の課金システム。
【請求項５】
前記加算減算用リーダ／ライタ装置は、前記第２の格納装置に格納されてから一定の時間が経過した精算データを削除することを特徴とする請求項１から４のいずれかの１項に記載の課金システム。
【請求項６】
前記第２のリーダ／ライタは、前記個人識別証から前記個人識別データを読み取り、前記第２の格納装置は、前記個人識別データを格納し、
前記課金手段は、前記第２の格納装置に記録されている前記個人識別データと前記個人識別データを照合して、一致したときのみ、前記合計支払い金額データに支払い金額を加算して、前記合計支払い金額データを更新する、
ことを特徴とする請求項１から５のいずれかの１項に記載の課金システム。
【請求項７】
前記課金手段は、前記個人識別データごとに、前記第２の格納装置に格納された前記支払い金額データを合計した金額を示す合計データを計算し、
前記第２の格納装置は、前記個人識別データごとに前記合計データを格納し、
前記第２の格納装置は、前記個人識別データごとに限度金額データを格納し、
前記課金手段は、同一の前記個人識別データにおいて、前記支払い金額と前記合計データが示す金額との和が、前記限度金額データを超える場合には、前記合計支払い金額データに支払い金額を更新しないことを特徴とする請求項１から６のいずれかの１項に記載の課金システム。
【請求項８】
前記出力インターフェースは、ＵＳＢポートであり、
前記入力インターフェースは、ＵＳＢポートである請求項１から７のいずれかの１項に記載の課金システム。
【請求項９】
前記管理用リーダ／ライタ装置は、前記ポストペイドカードに格納された前記合計支払い金額データを表示する請求項１から８のいずれかの１項に記載の課金システム。
【請求項１０】
前記管理コンピュータは、予め格納された前記精算データと、入力された前記精算データが同一の場合には、どちらかの前記精算データを削除することを特徴とする請求項１から９のいずれかの１項に記載の課金システム。